(57)【要約】
【課題】　製造コストが低く、軽量、かつ廃棄物量を低減できる紙容器を提供することを目的とする。
【解決手段】　身箱２と蓋３からなる紙容器１であって、前記身箱２の側板2bの外面の周囲に凸形状のライン2cを設けて、身箱2を構成する側板2bの外力に対する変形抵抗を大きくする。また、蓋3の上面の中央部3aを周辺枠部3cに対して凸形状として、蓋3の外力に対する変形抵抗を大きくする。このことにより紙容器全体として軽量化を図ることができる。そして、製造コストが低廉で、かつ、使用後における廃棄物量が少ない紙容器1を実現することができる。
【選択図】　図１
0003099220.tif 000002
【実用新案登録請求の範囲】
【請求項１】
　身箱と蓋からなる紙容器であって、前記身箱の側板の外面の周囲に凸形状のラインを設けたことを特徴とする紙容器。
【請求項２】
　前記凸形状のラインの身箱側板の上端からの位置が蓋の側板の高さ寸法とほぼ同一であることを特徴とする請求項１記載の紙容器。
【請求項３】
　前記凸形状のラインの突起の高さが蓋の側板の板厚とほぼ同一寸法であることを特徴とする請求項１または２記載の紙容器。
【請求項４】
　前記蓋の上面の中央部を周辺枠部に対して凸形状としたことを特徴とする請求項１〜３のいずれかに記載の紙容器。
【考案の詳細な説明】
【技術分野】
【０００１】
　本考案は、米菓等の菓子類を収納する紙容器に関する。
【背景技術】
【０００２】
　せんべい等の米菓は嵩張るため、製品販売価格に占める容器のコストを無視できない事情にある。したがって、低コストのみを追求すれば専用の収納容器を使用するよりも紙やポリエチレン等の菓子袋を使用する方が有利である。しかし、菓子袋は収納、運搬の便宜という最低限の要求は満たすことができるものの、見栄え等の商品力という点では金属製や紙製容器に比較して劣ることは否めない。とりわけ贈答品（中元や歳暮等）の用途において見栄えがよくないというのは致命的ともいえる。
【０００３】
　このような事情から、米菓等の収納容器として金属製や紙製の容器が用いられている。とりわけ紙製の容器は製造コストが比較的安価であり、軽量であることから輸送コストも低く抑制でき、広く用いられている。ここで、従来の紙容器の多くは、多部品（身箱、蓋、蓋用天パット、底板、中枠等）の紙部材で構成されていた。
【考案の開示】
【考案が解決しようとする課題】
【０００４】
　上述したように、従来の紙容器は、多部品で構成されている場合、製造コストが高くなってしまうという問題があった。製造コスト低減は利益に直結するものであり、いつの時代にも強い要請がある。また、部材数が多いことの結果として紙容器の重量も増加し、運搬時の負担が大きくなるという問題があった。さらに、紙容器自体は内容物である菓子を収納、運搬、保管するための機能を有するものであって、菓子と違って需要者が消費するものでない。したがって、最終消費者に渡った後では廃棄物となってしまい、廃棄物として処理しなければならないという問題がある。
【０００５】
　本考案は、かかる事情に鑑みてなされたものであり、製造コストが低く、軽量、かつ、廃棄物量を低減できる紙容器を提供することを目的とする。
【課題を解決するための手段】
【０００６】
　本考案における請求項１の紙容器は、身箱と蓋からなる紙容器であって、前記身箱の側板の外面の周囲に凸形状のラインを設けたものである。
【０００７】
　本考案における請求項２の紙容器は、請求項１記載の考案において、前記凸形状のラインの身箱側板の上端からの位置を、蓋の側板の高さ寸法とほぼ同一としたものである。
【０００８】
　本考案における請求項３の紙容器は、請求項１または２記載の考案において、前記凸形状のラインの突起の高さを、蓋の側板の板厚とほぼ同一寸法としたものである。
【０００９】
　本考案における請求項４の紙容器は、請求項１〜３のいずれかに記載の考案において、前記蓋の上面の中央部を周辺枠部に対して凸形状としたものである。
【考案の効果】
【００１０】
　本考案における請求項１の紙容器によれば、身箱を構成する側板の外力に対する変形抵抗が大きくなり、変形抵抗の大きい身箱を実現できる。その結果、従来の紙容器において使用されることがあった中枠が不要となる。したがって、軽量で製造コストの低い紙容器を実現することができる。このことは廃棄物量の低減ということに繋がり、地球環境の保全にも寄与することになる。
【００１１】
　本考案における請求項２の紙容器によれば、身箱の側板の外面に設けられた凸形状のラインが、蓋を身箱に被せる際の蓋と身箱との重なり具合の目印の役割を果たす。したがって、蓋を被せる作業が容易になるとともに身箱に蓋が確実に被さっているか否か容易に判断することができる。
【００１２】
　本考案における請求項３の紙容器によれば、身箱に蓋を被せた場合に身箱と蓋との一体感を高めることができる。
【００１３】
　本考案における請求項４の紙容器によれば、蓋の変形抵抗が大きくなり、従来よりも薄い段ボール又は板紙（以下、用紙という。）でも強度を確保した紙容器を製作することができる。また、蓋の側板に折返しを設ける必要がなくなり、一重の用紙で側板を構成することができる。したがって、軽量で製造コストが低い紙容器を実現できる。
【考案を実施するための最良の形態】
【００１４】
　本考案の紙容器は、軽量で製造コストが低い紙容器という目的を実現するため、身箱を構成する側板の外面の周囲に凸形状のラインを設けた。以下、本発明の実施例を図面に基づいて説明する。
【実施例１】
【００１５】
　図１は本考案の実施例を示す紙容器の外観斜視図である。この紙容器１は身箱２と蓋３から構成されており、必要に応じて別途底板も用いられる。必要に応じてとは、身箱２の高さ寸法が大きい場合や、内容物の重量が大きくなる場合に底板を用いて身箱２の底2aが抜けないように強度補強するということであって、内容物の重量が軽くて身箱2の底板強度だけで十分な場合には底板は用いない場合もあり、その場合コスト及び廃棄物の低減にもつながる。また、デザイン等により底板を使用する場合もある。
【００１６】
　図１は身箱２に蓋３を被せた状態を示しており、身箱２の周囲を構成する４面の側板2bには凸形状のライン2cが設けられている。そして、身箱2の上端2dからこのライン2cまでは蓋3の周囲を構成する４面の側板3bが被さっている。図２は身箱2の外観を示す斜視図であり、身箱2の上部は開口しており、下部は折込み又は貼込みにより閉じた底面2aを形成している。この身箱2は一枚の用紙から製作され、身箱2の周囲を構成する４面の側板2bは上端2dにおいて折返しが設けられている。したがって、身箱２の側板2bは２重の用紙によって構成されている。また、内容物の重量により強度を求められない場合やデザイン等により折返しをつけない場合等は、用紙の面積の減少により、より一層コストを低減できるし、廃棄物の低減にもつながる。
【００１７】
　ここで、本考案の特徴的なところは、身箱２の周囲を構成する４面の側板2bには図３に断面の詳細を示すように外側に凸形状となるライン2cが設けられていることである。この凸形状の凸部の膨らみ程度は素材である用紙の厚さ程度とされる。また、凸部の幅wは用紙の厚さの数倍程度に設定されるのが好適である。この程度であれば、プレス加工により比較的容易に用紙を変形させることができ、用紙が破れて不良品となってしまうこともない。
【００１８】
　この凸形状のライン2cの身箱側板2bの高さ方向における位置は、身箱側板2bの上端2dからの寸法と蓋3の高さ寸法hとがほぼ同一寸法となるようにされている。したがって、身箱2に蓋3を被ぶせた場合、蓋3の天板3cの下面が身箱2の側板2bの上端2dに接すると、蓋3の側板3bの下端3dは身箱2の側板2bの凸形状ライン2cが側板2bから突起し始める上側近傍に位置するようになる。このようにして、身箱2に蓋3を被せた場合、蓋3の下端3dが身箱2の突起の上部付近に位置することから、蓋3の下端3dが直接消費者の視覚に捉えられることがなく、蓋3の下端3dと身箱2の側板2bとのフィット感がよくなり、見栄えもよい物になる。
【００１９】
　また、蓋３も一枚の用紙から製作される。すなわち、蓋３の天板部3a，3cに対して側板部3bは折り曲げ加工により形成され、側板3b同士の４つの隅部のうち、１ケ所は重ね合わせにより接合される。なお、蓋3については側板3bの下端3dに折返しを設けず、用紙をカットしたままの状態で使用することができる。このように蓋３の側板3bについて内側への折返しを設けないので、蓋3の側板3bの厚みを抑制することができ、身箱2と蓋３との一体感を高めることができる。すなわち、身箱２の側板2bに設けられた凸形状のライン2cの突起の高さと、蓋3の側板3bの板厚tがほぼ同程度の寸法であることから、身箱2に蓋3を被せた場合に身箱2と蓋3との一体感が高まる。また、身箱２の側板2bの外面に設けられた凸形状のライン2cが、蓋3を身箱2に被せる際の蓋3と身箱2との重なり具合の目印の役割を果たす。したがって、蓋3を被せる作業が容易になるとともに身箱2に蓋3が確実に被さっているか否か容易に判断することができる。さらに、このことにより蓋3全体を軽量化することができ、製造コストも低く抑えることができる。なお、蓋の側板の下端のカットについては、蓋を着脱する際に手に傷をつけることがないようにウェーブ切刃を用いてカットするとよい。
【００２０】
　また、蓋３の上面は周辺枠部3cに対して中央部3aを凸形状としてある。この凸形状の突起の高さは概ね用紙の厚さ程度にされ、周辺枠部3cより突起した状態に形成されている。このようにすることにより蓋3の上面全体を一面に形成した場合に比較すると、蓋３の天板3a，3cの剛性が高まり、蓋3の着脱時においても蓋3の変形抵抗が大きくなり、蓋3の着脱が容易になるし、見た目にも高級感を醸し出すことができる。さらに、従来は強度面等から使用されることもあった蓋用天パットも省略することができ、蓋３の軽量化と併せて蓋３の製造コストを低減することができる。
【００２１】
　以上の構成による身箱２と蓋３からなる紙容器１によれば、従来の多部品からなる紙容器に比較して軽量化を図ることができる。それに伴って製造コストも低減することが可能となり、廃棄物量も削減することができる。
【産業上の利用可能性】
【００２２】
　本考案は、菓子類等を収納して保管、運搬に有益な紙容器として産業上広く利用することができる。
【図面の簡単な説明】
【００２３】
【図１】本考案の実施例を示す紙容器の外観斜視図である。
【図２】同上、身箱の外観斜視図である。
【図３】同上、図２のＡ−Ａ矢視図である。
【図４】同上、蓋の断面図である。
【符号の説明】
【００２４】
　１　紙容器
　２　身箱
　2b　側板
　2c　凸形状のライン
　３　蓋
　3a　中央部
　3c　周辺枠部
【図１】
0003099220.tif 000003
【図２】
0003099220.tif 000004
【図３】
0003099220.tif 000005
【図４】
0003099220.tif 000006